(57)【要約】      （修正有）【課題】組立が容易で、光源からの光の漏れを防止し、安定性が良好なバックライトモジュール及び表示装置を提供する。【解決手段】バックライトモジュールは、積載体１１０と、光源１２０と、導光板１３０と、押圧手段１４０とを備える。積載体は、積載部１１１、及び積載部の側辺に設けられた側壁１１２を含む。光源と導光板は、積載部に設けられ、導光板の光入射面は、光源に隣接して設けられている。押圧手段は、平板部１４１、側板部１４２、及び底板部１４３を含む。平板部は、水平方向に延在し、且つ光源を覆い、側壁の上面及び導光板の光学面に当接される押圧面を有する。側板部は平板部に連結され、且つ鉛直方向に延在している。底板部は側板部に連結され、且つ水平方向に延在し、積載部の底面に当接されている。【選択図】図１
0003223043.tif 000002
【実用新案登録請求の範囲】
【請求項１】
積載部、及び前記積載部の側辺に設けられた側壁を含む積載体と、
前記積載部に設けられた光源と、
前記積載部に設けられ、光入射面が前記光源に隣接して設けられた導光板と、
平板部、側板部、及び底板部を含む押圧手段と
を備え、
前記平板部は、水平方向に延在し、且つ前記光源を覆っており、前記側壁の上面及び前記導光板の光学面に当接された押圧面を有し、
前記側板部は、前記平板部に連結され、且つ鉛直方向に延在し、
前記底板部は、前記側板部に連結され、且つ前記水平方向に延在し、前記積載部の底面に当接されていることを特徴とする、バックライトモジュール。
【請求項２】
前記平板部と前記底板部との間は第１の距離を有し、
前記側壁の前記上面と前記積載部の前記底面との間は第２の距離を有し、
前記第１の距離は、前記第２の距離に等しいことを特徴とする、請求項１に記載のバックライトモジュール。
【請求項３】
前記押圧手段の前記側板部は、前記積載体の前記側壁の外側面に貼り付けられており、前記光源は、前記積載体の前記側壁の内側面に貼り付けられていることを特徴とする、請求項１又は２に記載のバックライトモジュール。
【請求項４】
前記積載体の前記積載部は、裏蓋部、サイドバー及び凹み構造を有し、前記サイドバーは、前記裏蓋部の側辺に設けられ、前記凹み構造は、前記サイドバーの底面から凹んでおり、
前記押圧手段の前記底板部は、前記凹み構造内に位置していることを特徴とする、請求項１に記載のバックライトモジュール。
【請求項５】
前記平板部と前記底板部との間は第１の距離を有し、前記側壁の前記上面と前記凹み構造の底面との間は第２の距離を有し、前記第１の距離は、前記第２の距離に等しいことを特徴とする、請求項４に記載のバックライトモジュール。
【請求項６】
少なくとも１つの第１の結合部と、少なくとも１つの第２の結合部とをさらに備え、前記第２の結合部は、前記積載体に設けられ、前記第１の結合部は、前記第２の結合部に固定されており、前記押圧手段の前記側板部を前記積載体の前記側壁に押し付けるように構成されていることを特徴とする、請求項１乃至５の何れか１項に記載のバックライトモジュール。
【請求項７】
前記第１の結合部は、ヘッド部、及び前記ヘッド部に連結されているロッド部を有し、前記第２の結合部は、固定孔であり、前記第１の結合部の前記ヘッド部は、前記押圧手段の前記側板部に当接され、前記ロッド部は、前記固定孔に固定されていることを特徴とする、請求項６に記載のバックライトモジュール。
【請求項８】
前記第２の結合部は、前記積載体に設けられた固定孔と、前記固定孔に固定されるスリーブとを含み、
前記第１の結合部は、ヘッド部、及び前記ヘッド部に連結されているロッド部を有し、前記ヘッド部は、前記側板部の表面に当接され、前記ロッド部は、前記スリーブに固定されていることを特徴とする、請求項６に記載のバックライトモジュール。
【請求項９】
前記押圧手段の前記側板部には、前記第２の結合部に対応する位置に少なくとも１つの切り欠きを有し、前記第１の結合部は、前記切り欠きを貫通して前記第２の結合部に固定されていることを特徴とする、請求項６乃至８の何れか１項に記載のバックライトモジュール。
【請求項１０】
前記導光板の上方に配置された複数の光学フィルムをさらに備え、最も上方に位置する前記光学フィルムの一方側は、前記押圧手段の前記平板部上に位置することを特徴とする、請求項１乃至９の何れか１項に記載のバックライトモジュール。
【請求項１１】
請求項１乃至１０の何れか１項に記載のバックライトモジュールと、
一方側が前記押圧手段の前記平板部上に積載されている表示パネルとを備えることを特徴とする、表示装置。
【考案の詳細な説明】
【技術分野】
【０００１】
本考案は、光源モジュールに関し、特に、バックライトモジュール及び表示装置への応用に関する。
【背景技術】
【０００２】
表示装置は、主に、バックライトモジュール、フレーム及び表示パネルを含み、表示パネルは、主に、フレームを介してバックライトモジュールに積載される。バックライトモジュールは、主に、バックプレート、バックプレートに設けられた導光板、光学フィルム及び光源を含む。
【０００３】
一般的に、バックライトモジュールを一定期間使用した後、導光板やフレームの光源に近い部分が熱により変形や反りを生じ、それによってフレームが開かれることがある。その結果、光源からの光が漏れ、バックライトモジュールの光学的効果に大きく影響する。また、この設計は、バックライトモジュールのバックプレートを貫通する複数のネジをロックする必要があり、バックライトモジュールが発光するときの光線は、バックプレートのロック箇所から漏れやすいという問題がある。
【考案の概要】
【考案が解決しようとする課題】
【０００４】
従って、本考案の目的は、組立が容易で、安定性が良好なバックライトモジュール及び表示装置を提供することである。
【課題を解決するための手段】
【０００５】
本考案の上記目的によれば、バックライトモジュールが提案される。当該バックライトモジュールは、積載体と、光源と、導光板と、押圧手段とを備える。積載体は、積載部、及び積載部の側辺に設けられた側壁を含む。光源は、積載部に設けられている。導光板は、積載部に設けられており、導光板の光入射面は、光源に隣接して設けられている。押圧手段は、平板部、側板部、及び底板部を含む。平板部は、水平方向に延在し、且つ光源を覆っている。平板部は、側壁の上面及び導光板の光学面に当接された押圧面を有する。側板部は、平板部に連結され、且つ鉛直方向に延在している。底板部は、側板部に連結され、且つ水平方向に延在し、積載部の底面に当接されている。
【０００６】
本考案の実施例によれば、上記平板部と底板部との間の第１の距離は、側壁の上面と積載部の底面との間の第２の距離に等しい。
【０００７】
本考案の実施例によれば、上記押圧手段の側板部は、積載体の側壁の外側面に貼り付けられている。光源は、積載体の側壁の内側面に貼り付けられている。
【０００８】
本考案の実施例によれば、上記積載体の積載部は、裏蓋部、サイドバー及び凹み構造を有する。サイドバーは、裏蓋部の側辺に設けられ、凹み構造は、サイドバーの底面から凹んでいる。押圧手段の底板部は、凹み構造内に位置している。
【０００９】
本考案の実施例によれば、上記平板部と底板部との間は第１の距離を有する。側壁の上面と凹み構造の底面との間は第２の距離を有する。第１の距離は、第２の距離に等しい。
【００１０】
本考案の実施例によれば、上記バックライトモジュールは、少なくとも１つの第１の結合部と、少なくとも１つの第２の結合部とを備える。第２の結合部は、積載体に設けられ、第１の結合部は、第２の結合部に固定されている。第１の結合部は、押圧手段の側板部を積載体の側壁に押し付ける。
【００１１】
本考案の実施例によれば、上記第１の結合部は、ヘッド部、及びヘッド部に連結されているロッド部を有する。第２の結合部は、固定孔であり、第１の結合部のヘッド部は、当該押圧手段の当該側板部に当接され、ロッド部は、固定孔に固定される。
【００１２】
本考案の実施例によれば、上記第２の結合部は、積載体に設けられた固定孔と、固定孔に固定されたスリーブとを含む。第１の結合部は、ヘッド部、及びヘッド部に連結されているロッド部を有し、ヘッド部は、側板部の表面に当接され、ロッド部は、スリーブに固定されている。
【００１３】
本考案の実施例によれば、上記押圧手段の側板部には、第２の結合部に対応する位置に少なくとも１つの切り欠きを有する。第１の結合部は、切り欠きを貫通して第２の結合部に固定されている。
【００１４】
本考案の実施例によれば、上記バックライトモジュールは、複数の光学フィルムをさらに備える。これらの光学フィルムは、導光板の上方に配置されており、最も上方に位置する光学フィルムの一方側は、押圧手段の平板部上に位置する。
【００１５】
本考案の上記目的によれば、更に、表示装置が提案される。表示装置は、前記バックライトモジュールと、表示パネルとを備える。表示パネルの一方側は、押圧手段の平板部上に積載されている。
【考案の効果】
【００１６】
上記の本考案の実施形態から明らかなように、本考案の押圧手段が、平板部、側板部、及び底板部を有する設計により、導光板をクランプ固定して押圧することができ、導光板の光源に近い部分が熱によって歪むのを防ぐことができる。また、押圧手段の平板部の上面の全平面設計により、大きな面積で表示パネルを積載することに加えて、バックライトモジュールにおける光学フィルムや光学接着剤等の周辺部材をその上に延設することもできる。これにより、表示パネルの黒帯の幅が狭くなり、非常に狭額縁または額縁なしのデザインが実現される。
【図面の簡単な説明】
【００１７】
実施例及びその利点をより完全に理解するために、添付図面を参照して説明する。
【図１】図１は、本考案の実施形態に係る表示装置を示す装置模式図である。
【図２】図２は、本考案の実施形態に係る表示装置を示す分解模式図である。
【図３】図３は、本考案の実施形態に係る表示装置を示す概略断面図である。
【図４】図４は、本考案の実施形態に係る表示装置の他の位置を示す概略断面図である。
【図５】図５は、本考案の他の実施形態に係る第１の結合部が第２の結合部に結合されたのを示す装置模式図である。
【図６】図６は、本考案の実施形態に係る表示装置を示す装置模式図である。
【図７】図７は、本考案の他の実施形態に係る表示装置を示す装置模式図である。
【考案を実施するための形態】
【００１８】
図１及び図２を併せて参照すると、図１及び図２は、本考案の実施形態に係る表示装置を示す装置模式図及び分解模式図である。本実施形態の表示装置３００は、バックライトモジュール１００と、バックライトモジュール１００の前方に配置された表示パネル２００とを備える。バックライトモジュール１００は、主に、積載体１１０と、光源１２０と、導光板１３０と、押圧手段１４０と、複数の光学フィルム１５０とを含む。
【００１９】
図１及び図２に示すように、積載体１１０は、積載部１１１及び側壁１１２を含む。積載部１１１は、水平方向（例えば、図に示すＹ方向）に延在しており、側壁１１２は、積載部１１１の一側辺に設けられ、鉛直方向（例えば、図に示すＺ方向）に延在している。一例では、積載部１１１と側壁１１２は共にＬ字形構造を形成する。本実施例では、光源１２０及び導光板１３０は、積載体１１０内に配置されている。具体的には、光源１２０及び導光板１３０は、積載部１１１上に位置し、光源１２０は、側壁１１２の内側面に貼り合わされ、導光板１３０の光入射面１３１は、光源１２０に隣接して設けられている。
【００２０】
実施例では、積載部１１１は、裏蓋部１１１ａと、サイドバー１１１ｂと、凹み構造１１１ｃとを有する。サイドバー１１１ｂは、裏蓋部１１１ａの側辺に設けられており、図２に示すように、サイドバー１１１ｂは、Ｘ方向に沿って延びる凸条構造となっている。凹み構造１１１ｃは、サイドバー１１１ｂの底面から凹んでいる。
【００２１】
再び図１及び図２を参照すると、押圧手段１４０は、平板部１４１、側板部１４２及び底板部１４３を含む。なお、平板部１４１の上面は、表示パネル２００を積載するように、全平面デザインである。側板部１４２は、鉛直方向（例えば、図に示すＺ方向）に沿って延びており、側板部１４２のＺ方向に沿った対向両側には、平板部１４１と底板部１４３とがそれぞれ接続されており、水平方向（例えば、図に示すＹ方向）に延在している。一例では、平板部１４１、側板部１４２及び底板部１４３は、共にＣ字形構造を形成しており、その切欠きは、積載体１１０に向けられている。これにより、押圧手段１４０は、水平方向（すなわち、図に示すＹ方向）に沿って積載体１１０に組み付けることができる。
【００２２】
図３を併せて参照すると、図３は、本考案の実施形態に係る表示装置を示す概略断面図である。本実施例では、図２に示すように、平板部１４１と底板部１４３との間は第１の距離Ａ１を有し、積載体１１０の側壁１１２の上面と凹み構造１１１ｃの底面とは第２の距離Ａ２を有する。ここで、第１の距離Ａ１は、第２の距離Ａ２とほぼ等しい。これにより、押圧手段１４０が積載体１１０に装着されたときに、押圧手段１４０の平板部１４１が光源１２０を覆い、且つ平板部１４１の押圧面１４１ａが側壁１１２の上面及び導光板１３０の光学面１３２（例えば、出光面）に当接する。また、側板部１４２は、積載体１１０の側壁１１２の外面に貼り付けられ、底板部１４３は、積載部１１１の底面の凹み構造１１１ｃに位置し、且つ凹み構造１１１ｃの底面に当接して、押圧手段１４０がＸ方向に沿って移動しないように規制する。また、平板部１４１の押圧面１４１ａが側壁１１２の上面及び導光板１３０の光学面１３２(たとえば、出光面)に当接し、且つ底板部１４３が凹み構造１１１ｃの底面に当接することにより、平板部１４１及び底板部１４３の同時の当接作用により、押圧手段１４０がＺ方向に沿って移動しないように規制することができる。このことから、導光板１３０の光源１２０に近い部分は、押圧手段１４０によって押圧され、導光板１３０の光源１２０に近い部分が熱によって変形することを避けることができる。いくつかの例では、押圧手段１４０は、クランプにより積載体１１０に固定可能な弾性を有する金属部品であってもよい。
【００２３】
本実施例では、凹み構造１１１ｃは、バックライトモジュール１００全体の厚さを薄くすることができるほか、押圧手段１４０のＸ方向への移動を規制するように設計されている。また、本実施形態の押圧手段１４０がスペーサーＳ１を介して導光板１３０を間接的に押圧する設計は、本考案を限定するためのものではない。他の実施形態では、スペーサーS１の厚さは、導光板の厚さに応じて調整されてもよく、または押圧手段１４０の平板部１４１は、導光板１３０の光学面１３２に直接接触して押圧してもよい。
【００２４】
図２及び図４を併せて参照すると、図４は、本考案の実施形態に係る表示装置の別の位置を示す概略断面図である。本実施例では、バックライトモジュール１００は、少なくとも１つの第１の結合部１６０と、少なくとも１つの第２の結合部１７０とをさらに含む。第２の結合部１７０は、積載体１１０に配置されており、例えば、積載体１１０の側壁１１２または積載部１１１に配置することができる。第１の結合部１６０は、第２の結合部１７０に固定される。第１の結合部１６０は、押圧手段１４０の側板部１４２を積載体１１０の側壁１１２に当接させるように構成されている。１つの特定の例では、第１の結合部１６０は、ヘッド部１６１と、ヘッド部１６１に連結されたロッド部１６２とを有する固定具である。第２の結合部１７０は、積載体１１０の側壁１１２または積載部１１１に設けられている固定孔である。これにより、第１の結合部１６０のロッド部１６２は、押圧手段１４０の側板部１４２を貫通して第２の結合部１７０に固定される。また、第１の結合部１６０のヘッド部１６１は、押圧手段１４０の側板部１４２に貼り付けられているため、押圧手段１４０は、第１の結合部１６０と第２の結合部１７０を介して積載体１１０に固定される。本実施例では、第２の結合部１７０は、積載体１１０の側壁１１２や積載部１１１を貫通していない非貫通穴の形態であるため、光源１２０が発光する際にロック部から光が漏れることを防止することができるので、局部光漏れの問題を効果的に改善することができる。
【００２５】
図２に示すように、いくつかの実施例では、押圧手段１４０の側板部１４２の第２の結合部１７０に対応する位置には、切り欠き１４２ａが設けられていてもよい。第１の結合部１６０は、切り欠き１４２ａを貫通して第２の結合部１７０に固定されている。具体的には、第１の結合部１６０のロッド部１６２は、押圧手段１４０の切り欠き１４２ａを貫通して積載体１１０の第２の結合部１７０に固定されており、且つ第１の結合部１６０のヘッド部１６１は、押圧手段１４０の側板部１４２の切り欠き１４２ａに近い周縁に当接している。いくつかの例では、押圧手段１４０は、板金を折り曲げて形成してもよいし、板金を打ち抜いて切り欠きを形成した後に折り曲げて本考案の切り欠き１４２ａを有する押圧手段１４０を得てもよい。図２乃至図４に示すように、本実施例では、表示装置３００は、押圧手段１４０及び第１の結合部１６０のヘッド部１６１の部分を隠すように、バックライトモジュール１００の外側に配置された外観モデリングフレーム３１０をさらに備える。
【００２６】
他の実施例では、図１及び図５を参照すると、図５は、本考案の他の実施形態に係る第１の結合部が第２の結合部に結合されたのを示す装置概略図である。他の実施例では、第２の結合部１７０'は、固定孔１７１及びスリーブ１７２を含んでもよい。積載体１１０には、固定孔１７１が設けられており、スリーブ１７２は、固定孔１７１に固定されており、且つスリーブ１７２の一部は、押圧手段１４０の側板部１４２内に突出している。第１の結合部１６０のロッド部１６２は、スリーブ１７２に固定されており、第１の結合部１６０のヘッド部１６１は、押圧手段１４０の側板部１４２の外面に当接している。
【００２７】
再び図３及び図４を参照すると、光学フィルム１５０は、導光板１３０の上方に設けられている。本実施例では、最も上方に位置する光学フィルム１５０の一方側は、押圧手段１４０の平板部１４１上に位置している。すなわち、最も上方に位置する光学フィルム１５０の面積は、下方に位置する光学フィルム１５０よりも僅かに大きく、その一方側が押圧手段１４０の平板部１４１上まで延びている。したがって、表示パネル２００が押圧手段１４０の平板部１４１上に積載された場合、一番上の光学フィルム１５０の一方側を押圧手段１４０の平板部１４１まで延ばすことによって、表示パネル２００の黒帯領域（ＢＭ領域）の幅Ｗ１を狭くすることができ、狭額縁化を図ることができる。
【００２８】
本考案において、積載体と押圧手段は異なる構造設計を有してもよい。図６を参照すると、図６は、本考案の実施形態に係る表示装置を示す装置模式図である。本実施形態の表示装置５００の構成は、上述した表示装置３００の構成とほぼ同様であるが、表示装置５００におけるバックライトモジュール４００の設計のみが異なる。本実施形態のバックライトモジュール４００の積載体４１０は、底面に切り欠きを有さない積載部４１１と、積載部４１１の一方側に設けられた側壁４１２とを含む。押圧手段４４０は、平板部４４１と、側板部４４２と、底板部４４３とを含む。
【００２９】
引き続き図６を参照すると、本実施例では、平板部４４１と底板部４４３との間の距離は、積載体４１０の側壁４１２の上面と積載体４１０の側壁４１２の底面との間の距離に等しい。これにより、押圧手段４４０が積載体４１０に装着された場合、押圧手段４４０の平板部４４１が光源１２０を覆い、且つ平板部４４１の押圧面４４１ａは、側壁４１２の上面及び導光板１３０の光学面（例えば、出光面）に当接する。また、押圧手段４４０の側板部４４２は、積載体４１０の側壁４１２の外面に貼り付けられている。同様にも、本実施例の押圧手段４４０と積載体４１０とは、図２に示すように、第１の結合部１６０及び第２の結合部１７０を介して互いに固定されて同様の効果が得られるので、詳細な説明は省略する。
【００３０】
本考案において、外観モデリングフレームは異なった構造設計を有していてもよい。図７を参照すると、図７は、本考案の他の実施形態に係る表示装置を示す装置模式図である。本実施形態の表示装置６００の構成は、上述した表示装置３００の構成とほぼ同様であるが、表示装置６００における外観モデリングフレーム６１０の構成のみが異なる。図７に示すように、本実施例では、外観モデリングフレーム６１０は、開口部６１０ａを有し、第１の結合部１６０は、開口部６１０ａ及び押圧手段１４０を貫通した後、積載体１１０に結合される。したがって、第１の結合部１６０は、外観モデリングフレーム６１０をバックライトモジュール１００に固定することに加えて、押圧手段１４０の側板部１４２を積載体１１０にさらに押し付けることができる。このことから、外観モデリングフレーム及び押圧手段１４０を同一の第１の結合部１６０（一般的にはネジの形態の固定具）で同時に固定する方式は、外観モデリングフレーム６１０と押圧手段１４０との間で互いに当接可能な構造を別途設計する必要がないため、ネジの使用数を低減し、全体の組み立て工程をより簡便にすることができる。
【００３１】
一方、本実施形態の外観モデリングフレーム６１０は、段付き構造設計であり、第１の段差部６１１と、第２の段差部６１２とを有し、第１の段差部６１１の厚さは、第２の段差部６１２の厚さよりも大きい。通常の使用状態で、すなわち表示パネル２００がユーザに向いているときには、ユーザに面している外観モデリングフレーム６１０の第１の段差部６１１が第２の段差部６１２を遮蔽するため、第１の結合部１６０のヘッド部１６１を外観モデリングフレーム６１０の第２の段差部６１２に設けることにより、第１の結合部１６０のヘッド部１６１を前方の厚みの大きい第１の段差部６１１で遮蔽することができる。すなわち、ユーザが表示パネル２００を見たときに、外観モデリングフレーム６１０の第２の段差部６１２及びその上に設けられた第１の結合部１６０が見えないため、表示装置６００全体の外観がより美しく見える。
【００３２】
上述の本考案の実施形態から明らかなように、本考案の押圧手段が、平板部、側板部及び底板部を有する設計により、導光板をクランプ固定して押圧することができ、導光板の光源に近い部分が熱によって歪むのを防ぐことができる。また、押圧手段の平板部の上面の全平面設計により、表示パネルを積載する大きな面積を提供することに加えて、バックライトモジュールにおける光学フィルムや光学接着剤等の周辺部材をその上に延設することもできる。これにより、表示パネルの黒帯の幅が狭くなり、非常に狭額縁または額縁なしのデザインが実現される。
【００３３】
また、本考案の押圧手段は、その構造のためにより多くの用途を広げ、導光板の光源に近い部分が熱によって歪むのを防ぐことができることに加えて、表示パネル、光学フィルムや光学接着剤等の周辺部材を積載できるように、面積を大きくすることもできるし、さらに表示パネルの黒帯の幅を狭くすることができる。一方、本考案の第１の結合部と第２の結合部とを互いに固定する方式は、固定具の使用数を減らすことができるほか、全体の組み立て過程を簡略化し、外観がより美しくなり、局部光漏れを効果的に改善する等の技術的効果に達することができる。また、本考案のバックライトモジュールの全体的な配置は、より狭く、より小さな黒帯領域(ＢＭ領域)を作り出すことができ、さらに四辺縁の額縁なしの超薄型ＴＶに適した構造設計を生み出す。本考案がＴＶ製品に応用される場合、スペース及び機能使用の効率を兼ねることができ、さらに四辺縁の額縁なしの超薄型ＴＶ設計の新しいレベルに達することができる。
【００３４】
本考案は、実施例によって開示されているが、本考案を限定するものではなく、当業者であれば、本考案の要旨と範囲を逸脱しない範囲内で様々な変更や修正が可能である。従って、本考案の保護範囲は、添付された請求の範囲によって規定される保護範囲に基づくものである。
【符号の説明】
【００３５】
１００  バックライトモジュール、
１１０  積載体、
１１１  積載部、
１１１ａ  裏蓋部、
１１１ｂ  サイドバー、
１１１ｃ  凹み構造、
１１２  側壁、
１２０  光源、
１３０  導光板、
１３１  光入射面、
１３２  光学面、
１４０  押圧手段、
１４１  平板部、
１４１ａ  押圧面、
１４２  側板部、
１４３  底板部、
１５０  光学フィルム、
１６０  第１の結合部、
１６１  ヘッド部、
１６２  ロッド部、
１７０  第２の結合部、
１７０’  第２の結合部、
１７１  固定孔、
１７２  スリーブ、
２００  表示パネル、
３００  表示装置、
３１０  外観モデリングフレーム、
４００  バックライトモジュール、
４１０  積載体、
４１１  積載部、
４１２  側壁、
４４０  押圧手段、
４４１  平板部、
４４２  側板部、
４４３  底板部、
５００  表示装置、
６００  表示装置、
６１０  外観モデリングフレーム、
６１０ａ  開口部、
６１１  第１の段差部、
６１２  第２の段差部、
Ａ１  第１の距離、
Ａ２  第２の距離、
Ｓ１  スペーサー、
Ｗ１  幅。
【図１】
0003223043.tif 000003
【図２】
0003223043.tif 000004
【図３】
0003223043.tif 000005
【図４】
0003223043.tif 000006
【図５】
0003223043.tif 000007
【図６】
0003223043.tif 000008
【図７】
0003223043.tif 000009